(57)【要約】【課題】癖付けをしなくても最初から捕球がし易い野球用グラブを提供する点にある。【解決手段】捕球面を構成する外装用袋と外装用袋に内装された内装芯袋２とを備え、内装芯袋２を構成する人差し指袋５、中指袋６、薬指袋７のうちの少なくとも１つの指袋が、それの基端から先端に向かって捕球面側に連続する湾曲面を有するように、指袋の捕球面側表面に被覆材１０，１１，１２を重ね合わせて縫着又は接着により一体化したことを特徴とする。【選択図】  図２
2005013308.tif 000002
【特許請求の範囲】
【請求項１】
捕球面を構成する外装用袋とこの外装用袋に内装された内装芯袋とを備えた野球用グラブにおいて、前記内装芯袋を構成する人差し指袋、中指袋、薬指袋のうちの少なくとも１つの指袋が、それの基端から先端に向かって捕球面側に連続する湾曲面を有するように、該指袋の捕球面側表面に被覆部材を重ね合わせて該両者を縫着又は接着により一体化したことを特徴とする野球用グラブ。
【請求項２】
前記被覆部材の基端から先端までの寸法を、前記指袋の基端から先端までの寸法より短く設定し、前記被覆部材と前記指袋とをそれらの両端が合致するように重ね合わせて該両者を縫着又は接着することにより、前記捕球面側に連続する湾曲面が構成されてなる請求項１記載の野球用グラブ。
【請求項３】
前記内装芯袋が、掌を覆う掌片部と５本の指の腹側に接当する指片部とからなる表面側部材と、この表面側部材の指片部の背面側を覆って指を挿入可能な指袋を構成するための背面側指片部材とからなり、前記表面側部材を構成する人差し指片部、中指片部、薬指片部の表面に重なり合うと共に各指片部の先端から基端までの寸法よりも短い寸法に構成された指片部材から前記被覆部材を構成し、各指片部の表面にそれの先端と基端が各指片部材の先端と基端にそれぞれ合致した状態で両者を重ね合わせてなる請求項１記載の野球用グラブ。
【請求項４】
前記内装芯袋が、掌を覆う掌片部と５本の指の腹側に接当する指片部とからなる表面側部材と、この表面側部材の指片部の背面側を覆って指を挿入可能な指袋を構成するための背面側指片部材とからなり、前記表面側部材を構成する掌片部、人差し指片部、中指片部、薬指片部の表面に重なり合う掌部と３つの指部とからなるシート部材から前記被覆部材を構成してなる請求項１記載の野球用グラブ。
【請求項５】
前記指袋及び前記被覆部材をそれらの先端部が切り離された短い寸法に構成してなる請求項１〜４のいずれかに記載の野球用グラブ。
【発明の詳細な説明】
【０００１】
【発明の属する技術分野】
本発明は、癖付けをしなくても最初から捕球がし易いように捕球面（掌）側に連続する指部からなる内装芯袋を備えた野球用グラブに関する。
【０００２】
【従来の技術】
上記野球用グラブは、捕球面を構成する外装用袋とこの外装用袋に内装される内装芯袋とを備えたものからなり、上記のように最初から捕球がし易いようにするために、例えば親指部と掌部を有するシート状の芯材の長手方向所定箇所に長手方向と直交する幅方向から切り込みを入れることにより、掌部に対して親指部を捕球面側に立起させることにより、ボールを捕球し易いようにしている。（例えば、特許文献１参照）。
【０００３】
【特許文献１】
実開平５−３５１７３号公報（図１、図２）
【０００４】
【発明が解決しようとする課題】
上記特許文献の野球用グラブによれば、親指部を捕球面側に立起させることによって、親指部を立起させない場合に比べてボールの捕球を容易にできるものである。しかし、ボールを実際に捕球する部分となる人差し指部、中指部、薬指部は立起させていないことから、それら指部の基端部側に位置する掌部が偏平になったままであるため、ボールの捕球をより一層容易に行うことができないものであり、ボールをグラブに入れた状態で上方から重しにて押さえ付けてグラブの癖付け処理を行わなければならないものであった。
また、芯材に切り込みを入れる構成であるため、その切り込みを入れた部分での強度低下を招くものであるだけでなく、切り込み部分を境目として折れ曲がった状態になってしまうため、指部が直線状に立起した状態となり、ボールの捕球する形状としては不利な形状であった。
【０００５】
本発明が前述の状況に鑑み、解決しようとするところは、癖付けをしなくても最初から捕球がし易い野球用グラブを提供する点にある。
【０００６】
【課題を解決するための手段】
本発明は、前述の課題解決のために、捕球面を構成する外装用袋とこの外装用袋に内装された内装芯袋とを備えた野球用グラブにおいて、前記内装芯袋を構成する人差し指袋、中指袋、薬指袋のうちの少なくとも１つの指袋が、それの基端から先端に向かって捕球面側に連続する湾曲面を有するように、該指袋の捕球面側表面に被覆部材を重ね合わせて該両者を縫着又は接着により一体化して、野球用グラブを構成した。
上記のように人差し指袋、中指袋、薬指袋のうちの少なくとも１つの指袋を、それの基端から先端に向かって捕球面側に連続する湾曲面を有するように、捕球面側表面に被覆部材を重ね合わせて該両者を縫着又は接着により一体化することにより、指袋がそれの基端から先端に向かって捕球面側に連続した湾曲面を有する状態を維持させることができる。従って、ボールを捕球する形状としては最も好ましい形状とすることができるだけでなく、その形状にすることによって、３つの指部の基端側の掌部分を偏平形状ではなく、凹んだ形状にすることができ、より一層捕球し易い形状にすることができる。
【０００７】
前記被覆部材の基端から先端までの寸法を、前記指袋の基端から先端までの寸法より短く設定し、前記被覆部材と前記指袋とをそれらの両端が合致するように重ね合わせて該両者を縫着又は接着することにより、前記捕球面側に連続する湾曲面が構成される構成であってもよい。前記被覆部材の基端から先端に向かう長手方向の寸法を調節するだけで、湾曲度合い（曲率半径の大きさ）を変更することができる。
【０００８】
前記内装芯袋が、掌を覆う掌片部と５本の指の腹側に接当する指片部とからなる表面側部材と、この表面側部材の指片部の背面側を覆って指を挿入可能な指袋を構成するための背面側指片部材とからなり、前記表面側部材を構成する人差し指片部、中指片部、薬指片部の表面に重なり合うと共に各指片部の先端から基端までの寸法よりも短い寸法に構成された指片部材から前記被覆部材を構成し、各指片部の表面にそれの先端と基端が各指片部材の先端と基端にそれぞれ合致した状態で両者を重ね合わせることによって、被覆部材に必要となる材料を必要最小限に抑えることができる。
【０００９】
前記内装芯袋が、掌を覆う掌片部と５本の指の腹側に接当する指片部とからなる表面側部材と、この表面側部材の指片部の背面側を覆って指を挿入可能な指袋を構成するための背面側指片部材とからなり、前記表面側部材を構成する掌片部、人差し指片部、中指片部、薬指片部の表面に重なり合う掌部と３つの指部とからなるシート部材から前記被覆部材を構成することによって、表面側部材と被覆部材との重ね合わせ作業を容易迅速に行うことができる。
【００１０】
前記指袋及び前記被覆部材をそれらの先端部が切り離された短い寸法に構成することによって、材料の削減によるコストの低減化を図ることができる。
【００１１】
【発明の実施の形態】
図１に、野球用グラブが示されており、この野球用グラブは、捕球面を構成する外装用袋１と、この外装用袋１に内装されてグラブの形を保持したり整えたりするための図２に示す内装芯袋２とからなっている。前記外装用袋１及び内装芯袋２のそれぞれは、一般に天然皮革、合成皮革、これらとほぼ同質の素材から構成することが望ましいが、他の素材から構成することもできる。又、前記外装用袋１は、図に示される形状及び構成に限定されるものではない。
【００１２】
図２に示すように、前記内装芯袋２は、掌を覆う掌片部３Ａと５本の指の腹側に接当する指片部３Ｂ，３Ｃ，３Ｄ，３Ｅ，３Ｆ（親指片部３Ｂのみ別体のものを掌片部３Ａに縫着している）とからなる表面側部材３と、この表面側部材３の指片部３Ｂ，３Ｃ，３Ｄ，３Ｅ，３Ｆの背面側を覆って指を挿入可能な指袋４，５，６，７，８を構成するために前記指片部３Ｂ，３Ｃ，３Ｄ，３Ｅ，３Ｆに縫着された（接着剤などで固定してもよい）背面側指片部材９Ｂ，９Ｃ，９Ｄ，９Ｅ，９Ｆとからなっているが、他の構成であってもよい。前記内装芯袋２を例えば合成樹脂で構成する場合には、前記指片部３Ｂ，３Ｃ，３Ｄ，３Ｅ，３Ｆに背面側指片部材９Ｂ，９Ｃ，９Ｄ，９Ｅ，９Ｆを融着してもよい。尚、後述の被覆部材１０，１１，１２も合成樹脂で構成して、内装芯袋２に被覆部材１０，１１，１２を融着するようにしてもよい。
【００１３】
そして、図２に示すように、前記表面側部材３の人差し指片部３Ｃ、中指片部３Ｄ、薬指片部３Ｅに各指片部の基端部から先端部に向かう長手方向の寸法よりも短い寸法、具体的には図３（ａ）に示すようにＳ（実際には１ｍｍ〜５ｍｍ程度）だけ短い寸法で、かつ、各指片部３Ｃ，３Ｄ，３Ｅとほぼ同一形状の被覆部材１０，１１，１２（図３（ａ）では薬指片部３Ｅのみを示しているが、他の指片部も同様である）を、図３（ｂ）に示すように、それら両者の先端位置及び基端位置が合致した状態で重ね合わせるためには、図３（ｃ）に示すように掌側に各指片部３Ｃ，３Ｄ，３Ｅ（図では薬指片部３Ｅのみを示しているが、他の指片部も同様である）が湾曲し、その状態で縫着により両者を一体化することにより（接着剤を用いて一体化してもよい）、図２及び図４に示すように、指袋５，６，７をそれの基端から先端に向かって捕球面側に連続した湾曲面５Ａ，６Ａ，７Ａを有するように湾曲させることができるようにしている。つまり、短い寸法の被覆部材１０，１１，１２をこれよりも長い寸法の指片部３Ｃ，３Ｄ，３Ｅに先端位置と基端位置とを位置合わせした状態で重ね合わせるためには、前記のように長い寸法の指片部３Ｃ，３Ｄ，３Ｅが捕球面側（掌側又は内側）に湾曲しなければ、寸法の異なる両者を重ね合わせることができないものであり、しかも一旦両者を一体化すれば、癖付けにより湾曲させた場合のように直線形状に戻るといったことがなく、常に掌側に湾曲した状態を維持することができる。前記寸法差は大きくなればなるほど湾曲度合いが大きく（きつく）なる、つまり曲率半径が小さくなることになるが、実際には１ｍｍ〜５ｍｍの間で調節することによって、外装用袋１も内装芯袋２と共に湾曲した状態を維持させることができ、捕球し易いグラブにすることができる。そして、前記のように指袋５，６，７を捕球面側に湾曲させる構成とすることによって、図１及び図４に示すように、外装用袋１の掌片部１Ａのうちの指袋５，６，７を覆う外装用袋１の３本の指部１Ｂ、１Ｃ，１Ｄの基端側部位に指袋側へ緩やかに湾曲した湾曲凹部１Ｓを形成することができ、より一層捕球し易いグラブを構成することができる利点がある。ここでは、前記３つの指袋５，６，７を捕球面側に湾曲させる構成としているが、親指袋４又は小指袋８あるいはそれら両指袋４，８も捕球面側に湾曲させる構成としてもよい。又、前記３つの指袋５，６，７を捕球面側に湾曲させる構成とすることが好ましいが、３つの指袋のうちの２つの指袋のみを捕球面側に湾曲させる構成としてもよいし、場合によっては１つの指袋のみを捕球面側に湾曲させる構成としてもよい。又、前記短い寸法の被覆部材１０又は１１又は１２をこれよりも長い寸法の指片部３Ｃ又は３Ｄ又は３Ｅにそれら両者の先端位置と基端位置とを位置合わせした状態で重ね合わせることによって、指袋５又は６又は７を捕球面側に湾曲させるようにしたが、被覆部材と指片部とを同一寸法にしたり、被覆部材を指片部よりも長い寸法にしてもよく、被覆部材と指片部の大きさ及び形状は同一であってもよいし、異ならせてもよい。又、前記のように両者の先端位置と基端位置とを位置合わせすることによって、指袋を捕球面側に湾曲させる構成とする他、捕球面側に湾曲させた内側に位置する被覆部材１０又は１１又は１２の外面側に、指片部３Ｃ又は３Ｄ又は３Ｅを重ね合わせて一体化することによって、外側に位置する指片部３Ｃ又は３Ｄ又は３Ｅの基端から先端に向かう方向における重ね合わせ部分が内側に位置する被覆部材１０又は１１又は１２よりも長くなり、指袋を捕球面側に湾曲させる構成としてもよい。
【００１４】
図１〜図４では、３つの被覆部材１０，１１，１２を表面側部材３の指片部３Ｃ，３Ｄ，３Ｅにそれぞれ縫着したものを示したが、例えば図５に示すように、前記３つの被覆部材１０，１１，１２及び掌片部３Ａを覆う被覆部材１３を一つのシート部材から構成してもよいし、４つの部材を縫着により一体化してシート上に構成してもよい。このように４つの部材１０，１１，１２，１３を一つのシート部材から構成する又は一体化することによって、表面側部材３への被覆部材の重ね合わせ作業を容易迅速に行うことができる利点がある。又、図５では、表面側部材３の小指片部３Ｆに相当する被覆部材１４を縫着により一体化させたものであってもよい。又、図５には示していないが、親指片部に対応する被覆部材を更に備えさせたものであってもよい。又、図では、被覆部材１０，１１，１２，１４の先端部を切取線１５，１６，１７，１８に沿って切り離して実施することもできる場合を示している。又、小指片部３Ｆに相当する被覆部材１４が無い場合において、前記掌片部１３を図に示す切取線１９に沿って切り離して実施することもでき、被覆部材の大きさ及び形状は自由に変更することができる。
【００１５】
図２で示した被覆部材１０，１１，１２の上面に図６に示す３ｍｍ以上の厚みを有するクッション材（捕球時のボールの衝撃力の吸収やグラブの補形強度を高めるためのものであり、芯材とも呼ばれる）２０，２１，２２を縫着又は接着により備えさせて実施することになる。図６では、クッション材２０，２１，２２の上面（捕球面）側に被覆部材１０，１１，１２を予め縫いつけて前述のように捕球面側に湾曲した状態で一体化させたものを表面側部材３の指片部３Ｃ，３Ｄ，３Ｅにそれぞれ縫着したものを示している。前記クッション材は、フェルトから構成する他、軟質の合成樹脂や発泡ポリウレタンなどから構成してもよい。尚、クッション材の厚みは、３ｍｍ以上にすることによって、衝撃力の吸収において好ましいが、３ｍｍ以下に設定することもできる。又、クッション材の厚みの限度は、通常のグラブであれば、７ｍｍ位であるが、グラブによってはその厚みは多少前後してもよい。
【００１６】
又、図７及び図８に示すように、指袋５，６，７，８及び前記被覆部材１０，１１，１２をそれらの先端部が切り離された短い寸法に構成して、実施してもよい。尚、前記３つのクッション材２０，２１，２２を基端部で一部連結された状態にしておくことによって、被覆部材１０，１１，１２の表面へのクッション材２０，２１，２２の取り付け作業を容易迅速に行うことができる利点がある。図７及び図８に示す他の構成は、図２と同様の構成であり、同一の符号を付している。
【００１７】
【発明の効果】
人差し指袋、中指袋、薬指袋のうちの少なくとも１つの指袋を、それの基端から先端に向かって捕球面側に連続する湾曲面を有するように、捕球面側表面に被覆部材を重ね合わせて両者を縫着又は接着により一体化することにより、癖付けをしなくても最初から捕球がし易い最適な野球用グラブを提供することができる。しかも、湾曲形状にした指部が直線形状に戻るようなことがなく、長期使用においても不具合の発生のない信頼性の高いグラブとすることができる。
【００１８】
被覆部材の基端から先端までの寸法を、指袋の基端から先端までの寸法より短く設定し、被覆部材と前記指袋の両端を合致させるように重ね合わせて両者を縫着又は接着する構成とすることによって、被覆部材の基端から先端に向かう長手方向の寸法を調節するだけで、湾曲度合い（曲率半径の大きさ）を変更することができ、いろんな種類のグラブを作製することが容易に行える利点がある。
【００１９】
表面側部材を構成する人差し指片部、中指片部、薬指片部の表面に重なり合う指片部材から被覆部材を構成することによって、被覆部材に必要となる材料を必要最小限に抑えることができ、コスト面において有利なグラブを提供することができる。
【００２０】
表面側部材を構成する掌片部、人差し指片部、中指片部、薬指片部の表面に重なり合う掌部と３つの指部とからなるシート部材から被覆部材を構成することによって、表面側部材と被覆部材との重ね合わせ作業を容易迅速に行うことができ、製造コスト面において有利になる。
【００２１】
指袋及び被覆部材をそれらの先端部が切り離された短い寸法に構成することによって、材料の削減によるコストの低減化を図ることができ、販売促進力のあるグラブとすることができる。
【図面の簡単な説明】
【図１】捕球面側から見た野球用グラブの斜視図である。
【図２】捕球面側から見た内装芯袋の斜視図である。
【図３】表面側部材に被覆部材を縫着する作業工程の説明図を示し、（ａ）は表面側部材に被覆部材を位置合わせする直前の状態を示し、（ｂ）は表面側部材に被覆部材を位置合わせした状態を示し、（ｃ）は表面側部材に位置合わせした被覆部材を縫着した状態を示している。
【図４】グラブの指袋の縦断面図である。
【図５】別の被覆部材の捕球面側から見た正面図である。
【図６】捕球面側から見た別の内装芯袋の斜視図である。
【図７】クッション材を取り付ける直前の捕球面側から見た別の内装芯袋の斜視図である。
【図８】クッション材を取り付けた捕球面側から見た別の内装芯袋の斜視図である。
【符号の説明】
１  外装用袋          ２  内装芯袋
３Ｂ，３Ｃ，３Ｄ，３Ｅ，３Ｆ  指片部
３Ａ  掌片部          ３  表面側部材
１Ｓ  湾曲凹部
４，５，６，７，８  指袋
５Ａ，６Ａ，７Ａ  湾曲面
９Ｂ，９Ｃ，９Ｄ，９Ｅ，９Ｆ  背面側指片部材
１０，１１，１２  指片部
１３  掌片部          １４  小指片部
１９  切取線
２０，２１，２２  クッション材
１５，１６，１７，１８  切取線
【図１】
2005013308.tif 000003
【図２】
2005013308.tif 000004
【図３】
2005013308.tif 000005
【図４】
2005013308.tif 000006
【図５】
2005013308.tif 000007
【図６】
2005013308.tif 000008
【図７】
2005013308.tif 000009
【図８】
2005013308.tif 000010